(57)【要約】【課題】自動車保険見積りを迅速に提供すること。【解決手段】情報処理システムであって、自動車検査証を撮像して、自動車検査証画像を生成する撮像部を備えた。また、情報処理システムであって、自動車検査証画像に含まれる２次元コードを読み取る読取部を備えた。さらに、情報処理システムであって、読み取った２次元コードから車両特定情報を抽出する抽出部を備えた。さらにまた、情報処理システムであって、抽出した車両特定情報に基づいて、自動車保険見積りを作成する見積作成部を備えた。【選択図】  図１
2017191349.tif 000002
【特許請求の範囲】
【請求項１】
自動車検査証を撮像して、自動車検査証画像を生成する撮像手段と、
前記自動車検査証画像に含まれる２次元コードを読み取る読取手段と、
読み取った前記２次元コードから車両特定情報を抽出する抽出手段と、
抽出した前記車両特定情報に基づいて、自動車保険見積りを作成する見積作成手段と、
を備えた情報処理システム。
【請求項２】
前記自動車検査証が対象とする車両が、普通自動車か軽自動車かの選択画面を表示する表示手段と、
普通自動車か軽自動車かの選択指示を受け付ける受付手段と、
をさらに備え、
前記見積作成手段は、前記選択指示に基づいて、自動車保険見積りを作成する請求項１に記載の情報処理システム。
【請求項３】
前記自動車検査証画像に含まれる前記２次元コードの数に基づいて、普通自動車の自動車検査証か軽自動車の自動車検査証かを判定する判定手段をさらに備えた請求項１に記載の情報処理システム。
【請求項４】
普通自動車用自動車保険見積りおよび軽自動車用自動車保険見積りの作成データを記憶する記憶手段と、
前記判定手段による判定結果に基づいて、前記記憶手段から前記作成データを読み出す読出手段と、
をさらに備えた請求項３に記載の情報処理システム。
【請求項５】
前記自動車検査証の画像から文字を認識して、前記車両特定情報以外の文字情報を抽出する文字情報抽出手段をさらに備え、
前記見積作成手段は、前記車両特定情報および前記文字情報に基づいて、自動車保険見積りを作成する、請求項１乃至４のいずれか１項に記載の情報処理システム。
【請求項６】
前記車両特定情報は、自動車の型式、自動車登録ファイルへの登録番号、自動車登録ファイルへの初度登録年月、車台番号および前記自動車検査証の有効期間満了日のうち少なくとも１つを含む請求項１乃至５のいずれか１項に記載の情報処理システム。
【請求項７】
自動車検査証を撮像して、自動車検査証画像を生成する撮像ステップと、
前記自動車検査証画像に含まれる２次元コードを読み取る読取ステップと、
読み取った前記２次元コードから車両特定情報を抽出する抽出ステップと、
抽出した前記車両特定情報に基づいて、自動車保険見積りを作成する見積作成ステップと、
を含む情報処理方法。
【請求項８】
自動車検査証を撮像して、自動車検査証画像を生成する撮像ステップと、
前記自動車検査証画像に含まれる２次元コードを読み取る読取ステップと、
読み取った前記２次元コードから車両特定情報を抽出する抽出ステップと、
抽出した前記車両特定情報に基づいて、自動車保険見積りを作成する見積作成ステップと、
をコンピュータに実行させる情報処理プログラム。
【発明の詳細な説明】
【技術分野】
【０００１】
本発明は、情報処理システム、情報処理方法および情報処理プログラムに関する。
【背景技術】
【０００２】
上記技術分野において、特許文献１には、車検証に印刷されている２次元コードから読み取った車両情報をサーバに送信し、中古車の評価を行う技術が開示されている。
【先行技術文献】
【特許文献】
【０００３】
【特許文献１】特開２０１６−４４７０号公報
【発明の概要】
【発明が解決しようとする課題】
【０００４】
しかしながら、上記文献に記載の技術では、自動車保険見積りを迅速に提供することができなかった。
【０００５】
本発明の目的は、上述の課題を解決する技術を提供することにある。
【課題を解決するための手段】
【０００６】
上記目的を達成するため、本発明に係る情報処理システムは、
自動車検査証を撮像して、自動車検査証画像を生成する撮像手段と、
前記自動車検査証画像に含まれる２次元コードを読み取る読取手段と、
読み取った前記２次元コードから車両特定情報を抽出する抽出手段と、
抽出した前記車両特定情報に基づいて、自動車保険見積りを作成する見積作成手段と、
を備えた。
【０００７】
上記目的を達成するため、本発明に係る情報処理方法は、
自動車検査証を撮像して、自動車検査証画像を生成する撮像ステップと、
前記自動車検査証画像に含まれる２次元コードを読み取る読取ステップと、
読み取った前記２次元コードから車両特定情報を抽出する抽出ステップと、
抽出した前記車両特定情報に基づいて、自動車保険見積りを作成する見積作成ステップと、
を含む。
【０００８】
上記目的を達成するため、本発明に係る情報処理プログラムは、
自動車検査証を撮像して、自動車検査証画像を生成する撮像ステップと、
前記自動車検査証画像に含まれる２次元コードを読み取る読取ステップと、
読み取った前記２次元コードから車両特定情報を抽出する抽出ステップと、
抽出した前記車両特定情報に基づいて、自動車保険見積りを作成する見積作成ステップと、
をコンピュータに実行させる。
【発明の効果】
【０００９】
本発明によれば、自動車保険見積りを迅速に提供することができる。
【図面の簡単な説明】
【００１０】
【図１】本発明の第１実施形態に係る情報処理システムの構成を示すブロック図である。
【図２Ａ】本発明の第２実施形態に係る情報処理システムの構成の概略を説明する図である。
【図２Ｂ】本発明の第２実施形態に係る情報処理システムの携帯端末のアプリケーションにより表示される読取指示画面の一例を示す図である。
【図２Ｃ】本発明の第２実施形態に係る情報処理システムの携帯端末のアプリケーションにより表示される普通自動車の車検証用の２次元コード読取画面の一例を示す図である。
【図２Ｄ】本発明の第２実施形態に係る情報処理システムの携帯端末のアプリケーションにより表示される軽自動車の車検証用の２次元コード読取画面の一例を示す図である。
【図２Ｅ】本発明の第２実施形態に係る情報処理システムの携帯端末のアプリケーションにより表示される２次元コード読取完了画面の一例を示す図である。
【図３】本発明の第２実施形態に係る情報処理システムの構成を説明するブロック図である。
【図４】本発明の第２実施形態に係る情報処理システムの情報処理装置が有する保険料テーブルの一例を示す図である。
【図５】本発明の第２実施形態に係る情報処理システムに含まれる情報処理装置のハードウェア構成を説明する図である。
【図６Ａ】本発明の第２実施形態に係る情報処理システムの携帯端末の処理手順を説明するフローチャートである。
【図６Ｂ】本発明の第２実施形態に係る情報処理システムの情報処理装置の処理手順を説明するフローチャートである。
【図７】本発明の第３実施形態に係る情報処理システムの構成を説明するブロック図である。
【図８Ａ】本発明の第３実施形態に係る情報処理システムの情報処理装置が有する判定テーブルの一例を示す図である。
【図８Ｂ】本発明の第３実施形態に係る情報処理システムの情報処理装置が有する見積作成テーブルの一例を示す図である。
【図９】本発明の第３実施形態に係る情報処理システムに含まれる情報処理装置のハードウェア構成を説明する図である。
【図１０Ａ】本発明の第３実施形態に係る情報処理システムの携帯端末の処理手順を説明するフローチャートである。
【図１０Ｂ】本発明の第３実施形態に係る情報処理システムの情報処理装置の処理手順を説明するフローチャートである。
【図１１】本発明の第４実施形態に係る情報処理システムの構成を説明するブロック図である。
【図１２】本発明の第４実施形態に係る情報処理システムに含まれる情報処理装置のハードウェア構成を説明する図である。
【図１３】本発明の第４実施形態に係る情報処理システムの情報処理装置の処理手順を説明するフローチャートである。
【発明を実施するための形態】
【００１１】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１２】
［第１実施形態］
本発明の第１実施形態としての情報処理システム１００について、図１を用いて説明する。情報処理システム１００は、自動車検査証の情報に基づいて、保険見積りを作成して、ユーザに提供するシステムである。
【００１３】
図１に示すように、情報処理システム１００は、撮像部１０１と、読取部１０２と、抽出部１０３と、見積作成部１０４とを有する。撮像部１０１は、自動車検査証を撮像して、自動車検査証画像を生成する。読取部１０２は、自動車検査証画像に含まれる２次元コードを読み取る。抽出部１０３は、読み取った２次元コードから車両特定情報を抽出する。見積作成部１０４は、抽出した車両特定情報に基づいて、自動車保険見積りを作成する。
【００１４】
本実施形態によれば、自動車保険見積りを迅速に提供できる。
【００１５】
［第２実施形態］
次に本発明の第２実施形態に係る情報処理システムについて、図２Ａ乃至図６Ｂを用いて説明する。図２Ａは、本実施形態に係る情報処理システムの概略を説明するための図である。情報処理システム２００は、携帯端末２０１と、情報処理装置２０２とを含む。
【００１６】
情報処理システム２００においては、例えば、保険代理店の店員が、携帯端末２０１のカメラで自動車検査証（以下、「車検証」という）２１０を撮像し、撮像して得られたデータを情報処理装置２０２に送信する。その後、情報処理装置２０２は、送信されたデータに基づいて、自動車保険見積りを作成し、携帯端末２０１に送信する。なお、携帯端末２０１は、例えば、タブレット端末やスマートフォン、ＰＤＡ(Personal Data Assistant)などである。
【００１７】
ここで、車検証２１０は、自動車が保安基準に適合していることを証明する書類であり、図２Ａに示したとおり、車検証２１０の右下部分には、複数の２次元コード２１１が印刷されている。２次元コード２１１は、車検証２１０に文字で記載されている情報の一部または全部が２次元形式でコード化された情報である。２次元コード２１１は、例えば、自動車の型式、自動車登録ファイルへの登録番号、自動車登録ファイルへの初度登録年月日、車台番号および自動車検査証の有効期間満了日を２次元形式でコード化した情報である。
【００１８】
図２Ｂは、情報処理システム２００に含まれる携帯端末２０１のアプリケーションにより表示される読取指示画面の一例を示す図である。例えば、ユーザが、所定のネットワークに接続し、図２Ｂの左図に示した「２次元コード読取」ボタンをタップすると、携帯端末２０１にインストールされたアプリケーションが起動する。そして、図２Ｂの右図に示したように、読み取りを行う車検証２１０の種類を選択する画面が表示される。この選択画面においては、「普通自動車」ボタンおよび「軽自動車」ボタンが表示される。ユーザが、「普通自動車」ボタンをタップすると、普通自動車の車検証２１０用の２次元コード読み取り画面へ遷移し、同様に、「軽自動車」ボタンをタップすると、軽自動車の車検証２１０用の２次元コード読み取り画面へ遷移する。なお、ユーザが右上に表示された「アプリ終了」ボタンをタップすると、アプリケーションの終了を確認するダイアログが表示され、ユーザがアプリケーションの終了を承認するボタンをタップするとアプリケーションが終了する。
【００１９】
図２Ｃは、情報処理システム２００に含まれる携帯端末２０１のアプリケーションにより表示される普通自動車の車検証用の２次元コード読取画面の一例を示す図である。図２Ｄは、情報処理システム２００に含まれる携帯端末２０１のアプリケーションにより表示される軽自動車の車検証用の２次元コード読取画面の一例を示す図である。
【００２０】
２次元コード読取画面においては、車検証２１０の２次元コード２１１の個数に合わせて、枠２２０が表示される。普通自動車用の２次元コード読取画面では、８個の枠２２０が表示され、軽自動車用の２次元コード読取画面では、３個の枠２２０が表示される。ユーザが、表示された枠２２０の並びを参考にして、所定の個数の２次元コード２１１全てが携帯端末２０１の画面領域内に収まるようにすると、自動的に抽出対象の２次元コード２１１が判別され、読み取り進捗状況が「ＯＫ」または「ブランク」で表示される。「ＯＫ」は、読み取り済みの２次元コード２１１を示し、「ブランク」は、読み取りが済んでいない２次元コード２１１を示し、「×」は、読み取ることができない２次元コード２１１であることを示す。また、例えば、２次元コード読取画面の表示後、一定時間経過した場合や、読み取った２次元コードに不正なデータが含まれている場合には、エラーダイアログを表示してもよい。
【００２１】
複数の２次元コード２１１からの車両特定情報の抽出は、例えば、次のように行う。普通自動車の車検証２１０の場合、８個の２次元コード２１１のうち、左端の１個および右端の２個については、情報を抽出することができないので、情報の抽出対象から除外する。そして、抽出対象外の２次元コード２１１の間にある５個の２次元コード２１１を特定し、この５個の２次元コード２１１から車両特定情報を抽出する。
【００２２】
また、軽自動車の車検証２１０の場合、３個の２次元コード２１１のうち、右端の２次元コード２１１については、情報を抽出することができないので、情報の抽出対象から除外する。そして、残りの２個の２次元コード２１１を特定し、この２個の２次元コード２１１から車両特定情報を抽出する。
【００２３】
図２Ｅは、情報処理システム２００に含まれる携帯端末２０１のアプリケーションにより表示される２次元コード読取完了画面の一例を示す図である。２次元コード読取画面において、読み取るべき２次元コード２１１の枠２２０が「ＯＫ」になると図２Ｅに示した画面へと遷移する。この画面では、２次元コード２１１から読み取ったデータの内容が表示される。ここで、表示されるデータは、車両特定情報であり、自動車の型式、自動車登録ファイルへの登録番号、車台番号、自動車登録ファイルへの初度登録年月および車検証２１０の有効期間満了日である。そして、ユーザは、表示されたデータの内容を確認し、「結果送信」ボタンをタップすると、車両特定情報が情報処理装置２０２へ送信される。なお、ユーザは、車両特定情報以外の自動車保険見積り作成に必要な情報を適宜入力し、車両特定情報とともに情報処理装置２０２へ送信してもよい。
【００２４】
車両特定情報を受信した情報処理装置２０２は、受信した車両特定情報に基づいて自動車保険の見積りを作成し、作成した自動車保険見積りを携帯端末２０１に送信する。ここで、携帯端末２０１で撮影した車検証２１０の画像や２次元コード２１１から読み取った車両特定情報は、携帯端末２０１に表示されるだけで、データを情報処理装置２０２へ送信した後やアプリケーションの終了後には破棄され、携帯端末２０１には残らない。なお、情報処理装置２０２において、車両特定情報以外の情報である等級や年齢条件、補償範囲などを補充して、車両特定情報と車両特定情報以外の情報とを合わせて自動車保険見積りを作成してもよい。例えば、情報処理装置２０２が車両特定情報以外の情報を補充するインタフェースを備え、オペレータがインタフェースを利用して車両特定情報以外の情報を補充してもよい。また、情報処理装置２０２が、車両特定情報以外の情報を自動的に補充するようにしてもよい。
【００２５】
なお、上述の説明では、情報処理システム２００が適用される場面として保険代理店の例を用いて説明をしたが、情報処理システム２００は、自動車整備工場や自動車販売店などにも適用することができる。例えば、自動車の所有者が、車検（自動車検査登録制度）を受けるために、自動車整備工場（整備業者）に自動車を持ち込んで、検査を受ける場合、整備業者は、所有者から車検証２１０を一時的に預かる。そして、整備業者が、検査の待ち時間の間に、情報処理システム２００を利用して、車検証を撮像して、自動車保険の見積もりを所有者に提示することもできる。
【００２６】
図３は、本実施形態に係る情報処理システム２００の構成を説明するブロック図である。情報処理システム２００は、携帯端末２０１と情報処理装置２０２とを含む。携帯端末２０１は、撮像部３１１と読取部３１２と抽出部３１３とデータ送信部３１４と表示部３１５と受付部３１６とを備える。
【００２７】
撮像部３１１は、車検証２１０を撮像して、車検証画像を生成する。撮像部３１１は、例えば、携帯端末２０１が有するカメラである。読取部３１２は、撮像部３１１生成された車検証画像に含まれる２次元コード２１１を読み取る。抽出部３１３は、読み取った２次元コード２１１から車両特定情報を抽出する。抽出される車両特定情報は、自動車の型式、自動車登録ファイルへの登録番号、車台番号、自動車登録ファイルへの初度登録年月および車検証２１０の有効期間満了日である。データ送信部３１４は、抽出した車両特定情報を情報処理装置２０２に送信する。表示部３１５には、読み取りを行う車検証２１０が、普通自動車の車検証２１０か軽自動車の車検証２１０かを選択する選択画面が表示される。受付部３１６は、ユーザによる普通自動車か軽自動車かの選択指示を受け付ける。そして、表示部３１５は、ユーザの選択に応じて、２次元コード２１１の読み取り画面を表示する。また、表示部３１５には、２次元コード２１１から抽出された車両特定情報が表示される。そして、ユーザは、２次元コード２１１から抽出された車両特定情報の内容を確認できる。
【００２８】
情報処理装置２０２は、データ受信部３２１と見積作成部３２２と見積送信部３２３とを備える。データ受信部３２１は、携帯端末２０１から送信された車両特定情報を受信する。見積作成部３２２は、受信した車両特定情報に基づいて、自動車保険見積りを作成する。見積送信部３２３は、作成した自動車保険見積りを携帯端末２０１へ送信する。そして、情報処理装置２０２から携帯端末２０１に送信された自動車保険見積りは、携帯端末２０１の表示部３１５に表示される。
【００２９】
図４は、本実施形態に係る情報処理システム２００の情報処理装置２０２が有する保険料テーブル４０１の一例を示す図である。保険料テーブル４０１は、車両特定情報４１１と年齢条件４１２と等級と４１３と補償範囲４１４と保険料４１５とを格納する。車両特定情報４１１は、車検証２１０から取得可能な情報であり、２次元コード２１１から抽出された情報である。年齢条件４１２は、車検証２１０に対応付けられる自動車の所有者の年齢である。等級４１３は、保険の等級に関する情報である。補償範囲４１４は、保険で保障される範囲（対象）に関する情報である。保険料４１５は、保険の掛け金に関する情報であり、各種情報に基づいて算出される保険の料金に関する情報である。そして、見積作成部３２２は、保険料テーブル４０１を参照して、自動車保険見積りを作成する。
【００３０】
図５は、本実施形態に係る情報処理システム２００に含まれる情報処理装置２０２のハードウェア構成を示すブロック図である。
【００３１】
ＣＰＵ(Central Processing Unit)５１０は演算制御用のプロセッサであり、プログラムを実行することで図３の情報処理装置２０２の機能構成部を実現する。ＲＯＭ(Read Only Memory)５２０は、初期データおよびプログラムなどの固定データおよびその他のプログラムを記憶する。また、通信制御部５３０は、ネットワークを介して他の装置などと通信する。なお、ＣＰＵ５１０は１つに限定されず、複数のＣＰＵであっても、あるいは画像処理用のＧＰＵ(Graphics Processing Unit)を含んでもよい。また、通信制御部５３０は、ＣＰＵ５１０とは独立したＣＰＵを有して、ＲＡＭ(Random Access Memory)５４０の領域に送受信データを書き込みあるいは読み出しするのが望ましい。また、ＲＡＭ５４０とストレージ５５０との間でデータを転送するＤＭＡＣ(Direct Memory Access Controller)を設けるのが望ましい（図示なし）。さらに、入出力インタフェース５６０は、ＣＰＵ５１０とは独立したＣＰＵを有して、ＲＡＭ５４０の領域に入出力データを書き込みあるいは読み出しするのが望ましい。したがって、ＣＰＵ５１０は、ＲＡＭ５４０にデータが受信あるいは転送されたことを認識してデータを処理する。また、ＣＰＵ５１０は、処理結果をＲＡＭ５４０に準備し、後の送信あるいは転送は通信制御部５３０やＤＭＡＣ、あるいは入出力インタフェース５６０に任せる。
【００３２】
ＲＡＭ５４０は、ＣＰＵ５１０が一時記憶のワークエリアとして使用するランダムアクセスメモリである。ＲＡＭ５４０には、本実施形態の実現に必要なデータを記憶する領域が確保されている。車両特定情報データ５４１は、車検証２１０から抽出されるデータである。年齢条件データ５４２は自動車の所有者の年齢に関するデータであり、等級データ５４３は、所有者の保険の等級に関するデータである。補償範囲データ５４４は、保険により保障される範囲に関するデータである。保険料データ５４５は、保険の掛け金に関するデータである。これらのデータは、図４に示した保険料テーブル４０１から展開されたデータである。
【００３３】
入出力データ５４６は、入出力インタフェース５６０を介して入出力されるデータである。送受信データ５４７は、通信制御部５３０を介して送受信されるデータである。また、ＲＡＭ５４０は、各種アプリケーションモジュールを実行するためのアプリケーション実行領域５４８を有する。
【００３４】
ストレージ５５０には、データベースや各種のパラメータ、あるいは本実施形態の実現に必要な以下のデータまたはプログラムが記憶されている。ストレージ５５０は、保険料テーブル４０１を格納する。保険料テーブル４０１は、図４に示した、車両特定情報４１１、年齢条件４１２、等級４１３および補償範囲４１４と保険料４１５との関係を管理するテーブルである。ストレージ５５０は、さらに、データ受信モジュール５５１と、見積作成モジュール５５２と、見積送信モジュール５５３とを格納する。
【００３５】
データ受信モジュール５５１は、携帯端末２０１から送信されたデータを受信するモジュールである。見積作成モジュール５５２は、携帯端末２０１から受信したデータに基づいて、自動車保険の保険見積りを作成するモジュールである。見積送信モジュール５５３は、作成した自動車保険見積りを携帯端末２０１に送信するモジュールである。これらのモジュール５５１〜５５３は、ＣＰＵ５１０によりＲＡＭ５４０のアプリケーション実行領域５４８に読み出され、実行される。制御プログラム５５４は、情報処理装置２０２の全体を制御するためのプログラムである。
【００３６】
入出力インタフェース５６０は、入出力機器との入出力データをインタフェースする。入出力インタフェース５６０には、表示部５６１、操作部５６２、が接続される。また、入出力インタフェース５６０には、さらに、記憶媒体５６４が接続されてもよい。さらに、音声出力部であるスピーカ５６３や、音声入力部であるマイク、あるいは、ＧＰＳ位置判定部が接続されてもよい。なお、図５に示したＲＡＭ５４０やストレージ５５０には、情報処理装置２０２が有する汎用の機能や他の実現可能な機能に関するプログラムやデータは図示されていない。
【００３７】
図６Ａは、本実施形態に係る情報処理システム２００の携帯端末２０１の処理手順を示すフローチャートである。このフローチャートは、携帯端末２０１のＣＰＵがＲＡＭを使用して実行し、図３の携帯端末２０１の機能構成部を実現する。
【００３８】
ステップＳ６０１において、携帯端末２０１は、車検証２１０を読み取るためのアプリケーションを起動する。ステップＳ６０３において、携帯端末２０１は、車検証２１０の種類を選択する画面を表示する。ステップＳ６０５において、携帯端末２０１は車検証２１０を撮像して、車検証画像を生成する。ステップＳ６０７において、携帯端末２０１は、２次元コード２１１が読み取り可能か否かを判断する。２次元コードが読み取り不可能であれば（ステップＳ６０７のＮＯ）、携帯端末２０１は、車検証２１０を再度撮像する。２次元コードが読み取り可能であれば（ステップＳ６０７のＹＥＳ）、携帯端末２０１は、次のステップへ進む。ステップＳ６０９において、携帯端末２０１は、読み取った２次元コード２１１から車両特定情報を抽出する。ステップＳ６１１において、携帯端末２０１は、抽出した車両特定情報を情報処理装置２０２に送信する。ステップＳ６１３において、携帯端末２０１は、情報処理装置２０２から保険見積りを受信する。
【００３９】
図６Ｂは、本実施形態に係る情報処理システム２００の情報処理装置２０２の処理手順を示すフローチャートである。このフローチャートは、図５のＣＰＵ５１０がＲＡＭ５４０を使用して実行し、図３の情報処理装置２０２の機能構成部を実現する。ステップＳ６３１において、情報処理装置２０２は、携帯端末２０１から車両特定情報を受信する。ステップＳ６３３において、情報処理装置２０２は、受信した車両特定情報に基づいて、保険見積りを作成する。ステップＳ６３５において、情報処理装置２０２は、作成した保険見積りを携帯端末２０１へ送信する。
【００４０】
本実施形態によれば、保険見積りに必要な事項を自動的に取得するので、迅速に保険見積りを提供できる。
【００４１】
［第３実施形態］
次に本発明の第３実施形態に係る情報処理システムについて、図７乃至図１０Ｂを用いて説明する。図７は、本実施形態に係る情報処理システム７００の構成を説明するための図である。本実施形態に係る情報処理システムは、上記第２実施形態と比べると、携帯端末が判定部を有する点、ならびに情報処理装置が記憶部および読出部を有する点で異なる。その他の構成および動作は、第２実施形態と同様であるため、同じ構成および動作については同じ符号を付してその詳しい説明を省略する。
【００４２】
携帯端末７０１は、判定部７１１を有する。判定部７１１は、２次元コード２１１の個数に基づいて、普通自動車の車検証２１０か軽自動車の車検証２１０かを判定する。携帯端末２０１は、判定結果に基づいて、普通自動車用の２次元コード読取画面または軽自動車用の２次元コード読取画面を表示する。そして、ユーザは、表示された２次元コード読取画面の指示に従って車検証２１０を携帯端末７０１で撮像する。
【００４３】
情報処理装置７０２は、記憶部７２１と読出部７２２とをさらに有する。記憶部７２１は、普通自動車用自動車保険見積りおよび軽自動車用自動車保険見積りの作成データを記憶する。読出部７２２は、判定部７１１による判定結果に基づいて、普通自動車用自動車保険見積りの作成データまたは軽自動車用自動車保険見積りの作成データを読み出す。これらの作成データは、例えば、車種や排気量、保険プラン、保障内容などのデータであるが、これらには限定されない。そして、見積作成部３２２は、受信した車両特定情報と読み出した作成データとを用いて自動車保険見積りを作成する。
【００４４】
図８Ａは、本実施形態に係る情報処理システム７００の情報処理装置７０２が有する判定テーブルの一例を示す図である。判定テーブル８０１は、２次元コード数８１１に関連付けて種類８１２を記憶する。種類８１２は、車検証２１０の種類に関する指標であり、普通自動車の車検証２１０か軽自動車の車検証２１０かを表す。そして、判定部７１１は、判定テーブル８０１を参照して、普通自動車の車検証２１０か軽自動車の車検証２１０かを判定する。
【００４５】
図８Ｂは、本実施形態に係る情報処理システム７００の情報処理装置７０２が有する見積作成テーブルの一例を示す図である。見積作成テーブル８０２は、種類８１２に関連付けて車種８２２および排気量８２３を記憶する。なお、見積作成テーブル８０２に記憶する項目はこれらには限られない。読出部７２２は、見積作成テーブル８０２を参照して、自動車保険の見積作成に必要な見積作成データを読み出す。見積作成部３２２は、読出部７２２が読み出したデータに基づいて、自動車保険見積りを作成する。
【００４６】
図９は、本実施形態に係る情報処理システム７００に含まれる情報処理装置７０２のハードウェア構成を説明する図である。
【００４７】
ＲＡＭ９４０は、ＣＰＵ５１０が一時記憶のワークエリアとして使用するランダムアクセスメモリである。ＲＡＭ９４０には、本実施形態の実現に必要なデータを記憶する領域が確保されている。見積作成データ９４１は、自動車保険見積りの作成に必要なデータであり、図８Ｂに示した見積作成テーブル８０２から展開されたデータである。
【００４８】
ストレージ９５０には、データベースや各種のパラメータ、あるいは本実施形態の実現に必要な以下のデータまたはプログラムが記憶されている。ストレージ９５０は、見積作成テーブル８０２を格納する。見積作成テーブル８０２は、図８Ｂに示した、見積作成に必要なデータを管理するテーブルである。ストレージ９５０は、さらに、読出モジュール９５１を格納する。読出モジュール９５１は、自動車保険見積りの作成に必要なデータを読み出すモジュールである。
【００４９】
図１０Ａは、本実施形態に係る情報処理システム７００の携帯端末７０１の処理手順を説明するフローチャートである。このフローチャートは、携帯端末７０１のＣＰＵがＲＡＭを使用して実行し、図７の携帯端末７０１の機能構成部を実現する。ステップＳ１００１において、携帯端末７０１は、２次元コード２１１の個数に基づいて、普通自動車の車検証２１０か軽自動車の車検証２１０かを判定する。そして、携帯端末７０１は、判定結果に基づいて、２次元コード２１１の読み取り画面を表示する。
【００５０】
図１０Ｂは、本実施形態に係る情報処理システム７００の情報処理装置７０２の処理手順を説明するフローチャートである。このフローチャートは、図９のＣＰＵ５１０がＲＡＭ９４０を使用して実行し、図７の情報処理装置７０２の機能構成部を実現する。ステップＳ１０３１において、読出部７２２は、自動車保険見積りの作成に必要な作成データを記憶部７２１から読み出す。そして、情報処理装置７０２は、読み出した作成データを用いて、自動車保険見積りを作成する。
【００５１】
本実施形態によれば、車検証の種類を自動的に判定するので、さらに迅速に自動車保険見積りを提供することができる。
【００５２】
［第４実施形態］
次に本発明の第４実施形態に係る情報処理システムについて、図１１乃至図１３を用いて説明する。図１１は、本実施形態に係る情報処理システム１１００の構成を説明するための図である。本実施形態に係る情報処理システム１１００は、上記第３実施形態と比べると、情報処理装置１１０２文字情報抽出部１１２１を有する点で異なる。その他の構成および動作は、第３実施形態と同様であるため、同じ構成および動作については同じ符号を付してその詳しい説明を省略する。
【００５３】
情報処理装置１１０２は、文字情報抽出部１１２１を備える。文字情報抽出部１１２１は、自動車検査証画像の文字認識により文字情報を抽出する。この場合、携帯端末７０１のデータ送信部３１４は、抽出した車両特定情報とともに車検証２１０の画像を情報処理装置１１０２に送信する。そして、文字情報抽出部１１２１は、送信された車検証２１０の画像について、文字認識を実施し、車両特定情報以外の文字情報を抽出する。つまり、文字情報抽出部１１２１は、２次元コード２１１からは抽出できない情報を、車検証画像を文字認識することにより抽出している。見積作成部３２２は、車両特定情報と文字情報とに基づいて、自動車保険見積りを作成する。
【００５４】
なお、上述の説明では、情報処理装置１１０２が文字情報抽出部１１２１を有する例で説明したが、携帯端末７０１が文字情報抽出部１１２１を有していてもよい。この場合、データ送信部３１４は、２次元コード２１１から抽出した車両特定情報と、文字認識により抽出した車両特定情報以外の情報とを情報処理装置１１０２に送信する。
【００５５】
図１２は、本実施形態に係る情報処理システム１１００に含まれる情報処理装置１１０２のハードウェア構成を説明する図である。
【００５６】
ＲＡＭ１２４０は、ＣＰＵ５１０が一時記憶のワークエリアとして使用するランダムアクセスメモリである。ＲＡＭ９４０には、本実施形態の実現に必要なデータを記憶する領域が確保されている。文字情報データ１２４１は、車検証画像の文字認識により抽出された車両特定情報以外のデータである。
【００５７】
ストレージ１２５０には、データベースや各種のパラメータ、あるいは本実施形態の実現に必要な以下のデータまたはプログラムが記憶されている。ストレージ１２５０は、文字情報抽出モジュール１２５１を格納する。文字情報抽出モジュール１２５１は、車検証画像を文字認識することにより車両特定情報以外の文字情報を抽出するモジュールである。
【００５８】
図１３は、本実施形態に係る情報処理システム１１００の情報処理装置１１０２の処理手順を説明するフローチャートである。このフローチャートは、図１２のＣＰＵ５１０がＲＡＭ１２４０を使用して実行し、図１１の情報処理装置１１０２の機能構成部を実現する。ステップＳ１３３１において、情報処理装置１１０２は、携帯端末７０１から車両特定情報および車検証２１０の画像を受信する。ステップＳ１３３３において、文字情報抽出部１１２１は、車検証２１０の画像の文字認識を行い、車両特定情報以外の文字情報を抽出する。
【００５９】
本実施形態によれば、車両特定情報以外の情報を自動的に取得するので、さらに迅速に自動車保険見積りを提供することができる。
【００６０】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【００６１】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【図１】
2017191349.tif 000003
【図２Ａ】
2017191349.tif 000004
【図２Ｂ】
2017191349.tif 000005
【図２Ｃ】
2017191349.tif 000006
【図２Ｄ】
2017191349.tif 000007
【図２Ｅ】
2017191349.tif 000008
【図３】
2017191349.tif 000009
【図４】
2017191349.tif 000010
【図５】
2017191349.tif 000011
【図６Ａ】
2017191349.tif 000012
【図６Ｂ】
2017191349.tif 000013
【図７】
2017191349.tif 000014
【図８Ａ】
2017191349.tif 000015
【図８Ｂ】
2017191349.tif 000016
【図９】
2017191349.tif 000017
【図１０Ａ】
2017191349.tif 000018
【図１０Ｂ】
2017191349.tif 000019
【図１１】
2017191349.tif 000020
【図１２】
2017191349.tif 000021
【図１３】
2017191349.tif 000022